(57)【特許請求の範囲】
【請求項１】
互いに通信可能な携帯端末とサーバと患者情報データベースとを備えた情報処理システムであって、
前記携帯端末は、
患者を識別する患者識別情報と、前記患者識別情報に対応する患者情報に含まれる患者情報ページを識別するページ識別情報とに基づいて、前記サーバにより前記患者情報データベースから検索された前記患者情報ページを、前記サーバから受信して表示する第１患者情報ページ受信手段と、
ユーザによるブックマーク登録指示に基づいて、前記ユーザを識別するユーザ識別情報と、表示された前記患者情報ページを識別する前記ページ識別情報と、を前記サーバに送信する登録情報送信手段と、
前記ユーザによる患者リスト表示指示に応答して、前記サーバに登録された前記患者識別情報と前記患者識別情報に紐付いた前記ページ識別情報とを前記ユーザ識別情報に対応して一覧にしたブックマーク患者リストを、前記サーバから受信して、前記ブックマーク患者リストに基づいて、患者リストを表示するブックマーク患者リスト受信手段と、
表示された前記患者リストに含まれるブックマークの選択指示を受け付けて、前記ブックマークに対応する前記患者識別情報に紐付いた前記ページ識別情報を前記サーバに送信するブックマーク受付手段と、
前記選択指示に対応して送信された前記ページ識別情報に基づいて、前記サーバにより、前記患者情報データベースから検索された前記患者情報ページを、前記サーバから受信して表示する第２患者情報ページ受信手段と、
を備え、
前記サーバは、
前記ブックマーク登録指示と共に、前記登録情報送信手段が送信した前記ユーザ識別情報と前記ページ識別情報とを、前記登録情報送信手段から受信するブックマーク登録指示受信手段と、
前記ブックマーク登録指示に基づいて、受信した前記ページ識別情報を、前記ページ識別情報に対応する前記患者情報ページに関連する患者の前記患者識別情報に紐付けて記憶するブックマーク記憶手段と、
前記ブックマーク記憶手段に記憶された前記患者識別情報と前記患者識別情報に紐付いた前記ページ識別情報とを前記ユーザ識別情報に対応して一覧にした、前記ブックマーク患者リストを生成するブックマーク患者リスト生成手段と、
前記ブックマーク患者リスト生成手段により生成された前記ユーザ識別情報に対応する前記ブックマーク患者リストを前記ブックマーク患者リスト受信手段に送信するブックマーク患者リスト送信手段と、
前記ブックマーク受付手段が送信した、前記ブックマークの選択指示に対応する前記患者識別情報に紐付いた前記ページ識別情報を受信するブックマーク指示受信手段と、
受信した前記ブックマークの選択指示に対応して、前記患者識別情報に紐付いた前記ページ識別情報により前記患者情報データベースから検索した前記患者情報ページを、前記第２患者情報受信手段に送信する患者情報ページ送信手段と、
前記携帯端末からの指示に応じて前記ブックマーク記憶手段から前記患者識別情報を削除する削除手段と、
前記削除手段によって前記ブックマーク記憶手段から削除された前記患者識別情報を一定期間保持する保持手段と、
前記一定時間内にユーザにより前記ユーザ識別情報に対応するブックマーク患者リストが閲覧された場合に、前記保持手段が保持している前記患者識別情報を復元して前記ブックマーク記憶手段に記憶する復元手段と、
を備えたことを特徴とする情報処理システム。
【請求項２】
前記サーバは、さらに、
前記ユーザ識別情報に対応するブックマーク患者リストに含まれる前記患者識別情報ごとに、前記携帯端末によって前記患者情報ページが参照された参照回数をカウントするカウント手段と、
前記カウント手段でカウントされた参照回数を記憶する参照回数記憶手段と、
を備え、
前記ブックマーク患者リスト生成手段は、
前記参照回数記憶手段に記憶された参照回数に応じた順番で、前記ブックマーク記憶手段に記憶された前記患者識別情報を一覧にして前記ユーザ識別情報に対応するブックマーク患者リストを生成することを特徴とする請求項１に記載の情報処理システム。
【請求項３】
前記携帯端末の複数のユーザが共有可能なように、前記患者識別情報を記憶する共有ブックマーク記憶手段をさらに有することを特徴とする請求項１乃至２のいずれか１項に記載の情報処理システム。
【請求項４】
前記ブックマーク患者リスト生成手段は、それぞれの患者の属性に応じた表示態様でブックマーク患者が表示されるように前記ブックマーク患者リストを生成することを特徴とする請求項１乃至３のいずれか１項に記載の情報処理システム。
【請求項５】
前記ブックマーク記憶手段は、
前記携帯端末のユーザが、患者情報ページを指定した際に入力したコメントを、前記患者識別情報に紐付けて記憶することを特徴とする請求項１乃至４のいずれか１項に記載の情報処理システム。
【請求項６】
互いに通信可能な携帯端末とサーバと患者情報データベースとを用いた情報処理方法であって、
前記携帯端末が、
患者を識別する患者識別情報と、前記患者識別情報に対応する患者情報に含まれる患者情報ページを識別するページ識別情報とに基づいて、前記サーバにより前記患者情報データベースから検索された前記患者情報ページを、前記サーバから受信して表示する第１患者情報ページ受信ステップと、
ユーザによるブックマーク登録指示に基づいて、前記ユーザを識別するユーザ識別情報と、表示された前記患者情報ページを識別する前記ページ識別情報と、を前記サーバに送信する登録情報送信ステップと、
前記ユーザによる患者リスト表示指示に応答して、前記サーバに登録された前記患者識別情報と前記患者識別情報に紐付いた前記ページ識別情報とを前記ユーザ識別情報に対応して一覧にしたブックマーク患者リストを、前記サーバから受信して、前記ブックマーク患者リストに基づいて、患者リストを表示するブックマーク患者リスト受信ステップと、
表示された前記患者リストに含まれるブックマークの選択指示を受け付けて、前記ブックマークに対応する前記患者識別情報に紐付いた前記ページ識別情報を前記サーバに送信するブックマーク受付ステップと、
前記選択指示に対応して、送信された前記ページ識別情報に基づいて、前記サーバにより、前記患者識別情報に紐付いた前記ページ識別情報により前記患者情報データベースから検索された前記患者情報ページを、前記サーバから受信して表示する第２患者情報ページ受信ステップと、
を含み、
前記サーバが、
前記ブックマーク登録指示と共に、前記登録情報送信ステップで送信した前記ユーザ識別情報と前記ページ識別情報とを、前記携帯端末から受信するブックマーク登録指示受信ステップと、
前記ブックマーク登録指示に基づいて、受信した前記ページ識別情報を、前記ページ識別情報に対応する前記患者情報ページに関連する患者の前記患者識別情報に紐付けて記憶するブックマーク記憶ステップと、
前記ブックマーク記憶ステップで記憶された前記患者識別情報と前記患者識別情報に紐付いた前記ページ識別情報とを前記ユーザ識別情報に対応して一覧にした、前記ブックマーク患者リストを生成するブックマーク患者リスト生成ステップと、
前記ブックマーク患者リスト生成ステップで生成された前記ユーザ識別情報に対応する前記ブックマーク患者リストを前記携帯端末に送信するブックマーク患者リスト送信ステップと、
前記携帯端末が送信した、前記ブックマークの選択指示に対応する前記患者識別情報に紐付いた前記ページ識別情報を受信するブックマーク指示受信ステップと、
受信した前記ブックマークの選択指示に対応して、前記患者識別情報に紐付いた前記ページ識別情報により前記患者情報データベースから検索した前記患者情報ページを、前記携帯端末に送信する患者情報ページ送信ステップと、
前記携帯端末からの指示に応じて前記ブックマーク記憶ステップで記憶した前記患者識別情報を削除する削除ステップと、
前記削除ステップにおいて削除された前記患者識別情報を一定期間保持する保持ステップと、
前記一定時間内にユーザにより前記ユーザ識別情報に対応するブックマーク患者リストが閲覧された場合に、前記保持ステップで保持した前記患者識別情報を復元して記憶する復元ステップと、
を含むことを特徴とする情報処理方法。
【請求項７】
ブックマーク登録指示と共に、携帯端末が送信したユーザ識別情報とページ識別情報とを、前記携帯端末から受信するブックマーク登録指示受信手段と、
前記ブックマーク登録指示に基づいて、受信した前記ページ識別情報を、前記ページ識別情報に対応する患者情報ページに関連する患者の患者識別情報に紐付けて記憶するブックマーク記憶手段と、
前記ブックマーク記憶手段に記憶された前記患者識別情報と前記患者識別情報に紐付いた前記ページ識別情報とをユーザ識別情報に対応して一覧にした、ブックマーク患者リストを生成するブックマーク患者リスト生成手段と、
前記ブックマーク患者リスト生成手段により生成された前記ユーザ識別情報に対応する前記ブックマーク患者リストを前記携帯端末に送信するブックマーク患者リスト送信手段と、
前記携帯端末が送信した、ブックマークの選択指示に対応する前記患者識別情報に紐付いた前記ページ識別情報を受信するブックマーク指示受信手段と、
受信した前記ブックマークの選択指示に対応して、前記患者識別情報に紐付いた前記ページ識別情報により患者情報データベースから検索した前記患者情報ページを、前記携帯端末に送信する患者情報ページ送信手段と、
前記携帯端末からの指示に応じて前記ブックマーク記憶手段から前記患者識別情報を削除する削除手段と、
前記削除手段によって前記ブックマーク記憶手段から削除された前記患者識別情報を一定期間保持する保持手段と、
前記一定時間内にユーザにより前記ユーザ識別情報に対応するブックマーク患者リストが閲覧された場合に、前記保持手段が保持している前記患者識別情報を復元して前記ブックマーク記憶手段に記憶する復元手段と、
を備えたことを特徴とする情報処理装置。
【請求項８】
ブックマーク登録指示受信手段が、ブックマーク登録指示と共に、携帯端末が送信したユーザ識別情報とページ識別情報とを、前記携帯端末から受信するブックマーク登録指示受信ステップと、
ブックマーク記憶手段が、前記ブックマーク登録指示に基づいて、受信した前記ページ識別情報を、前記ページ識別情報に対応する患者情報ページに関連する患者の患者識別情報に紐付けて記憶するブックマーク記憶ステップと、
ブックマーク患者リスト生成手段が、前記ブックマーク記憶ステップで記憶された前記患者識別情報と前記患者識別情報に紐付いた前記ページ識別情報とをユーザ識別情報に対応して一覧にした、ブックマーク患者リストを生成するブックマーク患者リスト生成ステップと、
ブックマーク患者リスト送信手段が、前記ブックマーク患者リスト生成ステップで生成された前記ユーザ識別情報に対応する前記ブックマーク患者リストを前記携帯端末に送信するブックマーク患者リスト送信ステップと、
ブックマーク指示受信手段が、前記携帯端末が送信した、ブックマークの選択指示に対応する前記患者識別情報に紐付いた前記ページ識別情報を受信するブックマーク指示受信ステップと、
患者情報ページ送信手段が、受信した前記ブックマークの選択指示に対応して、前記患者識別情報に紐付いた前記ページ識別情報により患者情報データベースから検索した前記患者情報ページを、前記携帯端末に送信する患者情報ページ送信ステップと、
削除手段が、前記携帯端末からの指示に応じて前記ブックマーク記憶ステップで記憶した前記患者識別情報を削除する削除ステップと、
保持手段が、前記削除ステップにおいて削除された前記患者識別情報を一定期間保持する保持ステップと、
復元手段が、前記一定時間内にユーザにより前記ユーザ識別情報に対応するブックマーク患者リストが閲覧された場合に、前記保持ステップで保持した前記患者識別情報を復元して記憶する復元ステップと、
を備えたことを特徴とする情報処理装置を制御する制御方法。
【請求項９】
ブックマーク登録指示と共に、携帯端末が送信したユーザ識別情報とページ識別情報とを、前記携帯端末から受信するブックマーク登録指示受信ステップと、
前記ブックマーク登録指示に基づいて、受信した前記ページ識別情報を、前記ページ識別情報に対応する患者情報ページに関連する患者の患者識別情報に紐付けて記憶するブックマーク記憶ステップと、
前記ブックマーク記憶ステップで記憶された前記患者識別情報と前記患者識別情報に紐付いた前記ページ識別情報とをユーザ識別情報に対応して一覧にした、ブックマーク患者リストを生成するブックマーク患者リスト生成ステップと、
前記ブックマーク患者リスト生成ステップで生成された前記ユーザ識別情報に対応する前記ブックマーク患者リストを前記携帯端末に送信するブックマーク患者リスト送信ステップと、
前記携帯端末が送信した、ブックマークの選択指示に対応する前記患者識別情報に紐付いた前記ページ識別情報を受信するブックマーク指示受信ステップと、
受信した前記ブックマークの選択指示に対応して、前記患者識別情報に紐付いた前記ページ識別情報により患者情報データベースから検索した前記患者情報ページを、前記携帯端末に送信する患者情報ページ送信ステップと、
前記携帯端末からの指示に応じて前記ブックマーク記憶ステップで記憶した前記患者識別情報を削除する削除ステップと、
前記削除ステップにおいて削除された前記患者識別情報を一定期間保持する保持ステップと、
前記一定時間内にユーザにより前記ユーザ識別情報に対応するブックマーク患者リストが閲覧された場合に、前記保持ステップで保持した前記患者識別情報を復元して記憶する復元ステップと、
を備えたことを特徴とする情報処理装置の制御をコンピュータに実行させる制御プログラム。
【発明の詳細な説明】
【技術分野】
【０００１】
本発明は、過去に参照した情報を容易に参照することを可能にする情報処理技術に関する。
【背景技術】
【０００２】
上記技術分野において、特許文献１に示されているように、電子カルテシステムに格納された利用者の入力作業頻度に応じて、格納された情報を適切に整理する技術が知られている。
【先行技術文献】
【特許文献】
【０００３】
【特許文献１】特開2011-129018号公報
【発明の概要】
【発明が解決しようとする課題】
【０００４】
しかしながら、上記従来技術では、ユーザの入力作業頻度に応じた情報の整理ができるとしても、ユーザが繰り返し参照する情報を、ユーザ自身が積極的に選択してブックマークに登録することができなかった。
【０００５】
本発明の目的は、上述の課題を解決する技術を提供することにある。
【課題を解決するための手段】
【０００６】
上記目的を達成するため、本発明に係るシステムは、
互いに通信可能な携帯端末とサーバと患者情報データベースとを備えた情報処理システムであって、
前記携帯端末は、
患者を識別する患者識別情報と、前記患者識別情報に対応する患者情報に含まれる患者情報ページを識別するページ識別情報とに基づいて、前記サーバにより前記患者情報データベースから検索された前記患者情報ページを、前記サーバから受信して表示する第１患者情報ページ受信手段と、
ユーザによるブックマーク登録指示に基づいて、前記ユーザを識別するユーザ識別情報と、表示された前記患者情報ページを識別する前記ページ識別情報と、を前記サーバに送信する登録情報送信手段と、
前記ユーザによる患者リスト表示指示に応答して、前記サーバに登録された前記患者識別情報と前記患者識別情報に紐付いた前記ページ識別情報とを前記ユーザ識別情報に対応して一覧にしたブックマーク患者リストを、前記サーバから受信して、前記ブックマーク患者リストに基づいて、患者リストを表示するブックマーク患者リスト受信手段と、
表示された前記患者リストに含まれるブックマークの選択指示を受け付けて、前記ブックマークに対応する前記患者識別情報に紐付いた前記ページ識別情報を前記サーバに送信するブックマーク受付手段と、
前記選択指示に対応して送信された前記ページ識別情報に基づいて、前記サーバにより、前記患者情報データベースから検索された前記患者情報ページを、前記サーバから受信して表示する第２患者情報ページ受信手段と、
を備え、
前記サーバは、
前記ブックマーク登録指示と共に、前記登録情報送信手段が送信した前記ユーザ識別情報と前記ページ識別情報とを、前記登録情報送信手段から受信するブックマーク登録指示受信手段と、
前記ブックマーク登録指示に基づいて、受信した前記ページ識別情報を、前記ページ識別情報に対応する前記患者情報ページに関連する患者の前記患者識別情報に紐付けて記憶するブックマーク記憶手段と、
前記ブックマーク記憶手段に記憶された前記患者識別情報と前記患者識別情報に紐付いた前記ページ識別情報とを前記ユーザ識別情報に対応して一覧にした、前記ブックマーク患者リストを生成するブックマーク患者リスト生成手段と、
前記ブックマーク患者リスト生成手段により生成された前記ユーザ識別情報に対応する前記ブックマーク患者リストを前記ブックマーク患者リスト受信手段に送信するブックマーク患者リスト送信手段と、
前記ブックマーク受付手段が送信した、前記ブックマークの選択指示に対応する前記患者識別情報に紐付いた前記ページ識別情報を受信するブックマーク指示受信手段と、
受信した前記ブックマークの選択指示に対応して、前記患者識別情報に紐付いた前記ページ識別情報により前記患者情報データベースから検索した前記患者情報ページを、前記第２患者情報受信手段に送信する患者情報ページ送信手段と、
前記携帯端末からの指示に応じて前記ブックマーク記憶手段から前記患者識別情報を削除する削除手段と、
前記削除手段によって前記ブックマーク記憶手段から削除された前記患者識別情報を一定期間保持する保持手段と、
前記一定時間内にユーザにより前記ユーザ識別情報に対応するブックマーク患者リストが閲覧された場合に、前記保持手段が保持している前記患者識別情報を復元して前記ブックマーク記憶手段に記憶する復元手段と、
を備えたことを特徴とする。
【０００７】
上記目的を達成するため、本発明に係る方法は、
互いに通信可能な携帯端末とサーバと患者情報データベースとを用いた情報処理方法であって、
前記携帯端末が、
患者を識別する患者識別情報と、前記患者識別情報に対応する患者情報に含まれる患者情報ページを識別するページ識別情報とに基づいて、前記サーバにより前記患者情報データベースから検索された前記患者情報ページを、前記サーバから受信して表示する第１患者情報ページ受信ステップと、
ユーザによるブックマーク登録指示に基づいて、前記ユーザを識別するユーザ識別情報と、表示された前記患者情報ページを識別する前記ページ識別情報と、を前記サーバに送信する登録情報送信ステップと、
前記ユーザによる患者リスト表示指示に応答して、前記サーバに登録された前記患者識別情報と前記患者識別情報に紐付いた前記ページ識別情報とを前記ユーザ識別情報に対応して一覧にしたブックマーク患者リストを、前記サーバから受信して、前記ブックマーク患者リストに基づいて、患者リストを表示するブックマーク患者リスト受信ステップと、
表示された前記患者リストに含まれるブックマークの選択指示を受け付けて、前記ブックマークに対応する前記患者識別情報に紐付いた前記ページ識別情報を前記サーバに送信するブックマーク受付ステップと、
前記選択指示に対応して、送信された前記ページ識別情報に基づいて、前記サーバにより、前記患者識別情報に紐付いた前記ページ識別情報により前記患者情報データベースから検索された前記患者情報ページを、前記サーバから受信して表示する第２患者情報ページ受信ステップと、
を含み、
前記サーバが、
前記ブックマーク登録指示と共に、前記登録情報送信ステップで送信した前記ユーザ識別情報と前記ページ識別情報とを、前記携帯端末から受信するブックマーク登録指示受信ステップと、
前記ブックマーク登録指示に基づいて、受信した前記ページ識別情報を、前記ページ識別情報に対応する前記患者情報ページに関連する患者の前記患者識別情報に紐付けて記憶するブックマーク記憶ステップと、
前記ブックマーク記憶ステップで記憶された前記患者識別情報と前記患者識別情報に紐付いた前記ページ識別情報とを前記ユーザ識別情報に対応して一覧にした、前記ブックマーク患者リストを生成するブックマーク患者リスト生成ステップと、
前記ブックマーク患者リスト生成ステップで生成された前記ユーザ識別情報に対応する前記ブックマーク患者リストを前記携帯端末に送信するブックマーク患者リスト送信ステップと、
前記携帯端末が送信した、前記ブックマークの選択指示に対応する前記患者識別情報に紐付いた前記ページ識別情報を受信するブックマーク指示受信ステップと、
受信した前記ブックマークの選択指示に対応して、前記患者識別情報に紐付いた前記ページ識別情報により前記患者情報データベースから検索した前記患者情報ページを、前記携帯端末に送信する患者情報ページ送信ステップと、
前記携帯端末からの指示に応じて前記ブックマーク記憶ステップで記憶した前記患者識別情報を削除する削除ステップと、
前記削除ステップにおいて削除された前記患者識別情報を一定期間保持する保持ステップと、
前記一定時間内にユーザにより前記ユーザ識別情報に対応するブックマーク患者リストが閲覧された場合に、前記保持ステップで保持した前記患者識別情報を復元して記憶する復元ステップと、
を含むことを特徴とする。
【０００８】
上記目的を達成するため、本発明に係る装置は、
ブックマーク登録指示と共に、携帯端末が送信したユーザ識別情報とページ識別情報とを、前記携帯端末から受信するブックマーク登録指示受信手段と、
前記ブックマーク登録指示に基づいて、受信した前記ページ識別情報を、前記ページ識別情報に対応する患者情報ページに関連する患者の患者識別情報に紐付けて記憶するブックマーク記憶手段と、
前記ブックマーク記憶手段に記憶された前記患者識別情報と前記患者識別情報に紐付いた前記ページ識別情報とをユーザ識別情報に対応して一覧にした、ブックマーク患者リストを生成するブックマーク患者リスト生成手段と、
前記ブックマーク患者リスト生成手段により生成された前記ユーザ識別情報に対応する前記ブックマーク患者リストを前記携帯端末に送信するブックマーク患者リスト送信手段と、
前記携帯端末が送信した、ブックマークの選択指示に対応する前記患者識別情報に紐付いた前記ページ識別情報を受信するブックマーク指示受信手段と、
受信した前記ブックマークの選択指示に対応して、前記患者識別情報に紐付いた前記ページ識別情報により患者情報データベースから検索した前記患者情報ページを、前記携帯端末に送信する患者情報ページ送信手段と、
前記携帯端末からの指示に応じて前記ブックマーク記憶手段から前記患者識別情報を削除する削除手段と、
前記削除手段によって前記ブックマーク記憶手段から削除された前記患者識別情報を一定期間保持する保持手段と、
前記一定時間内にユーザにより前記ユーザ識別情報に対応するブックマーク患者リストが閲覧された場合に、前記保持手段が保持している前記患者識別情報を復元して前記ブックマーク記憶手段に記憶する復元手段と、
を備えたことを特徴とする。
【０００９】
上記目的を達成するため、本発明に係る方法は、
ブックマーク登録指示受信手段が、ブックマーク登録指示と共に、携帯端末が送信したユーザ識別情報とページ識別情報とを、前記携帯端末から受信するブックマーク登録指示受信ステップと、
ブックマーク記憶手段が、前記ブックマーク登録指示に基づいて、受信した前記ページ識別情報を、前記ページ識別情報に対応する患者情報ページに関連する患者の患者識別情報に紐付けて記憶するブックマーク記憶ステップと、
ブックマーク患者リスト生成手段が、前記ブックマーク記憶ステップで記憶された前記患者識別情報と前記患者識別情報に紐付いた前記ページ識別情報とをユーザ識別情報に対応して一覧にした、ブックマーク患者リストを生成するブックマーク患者リスト生成ステップと、
ブックマーク患者リスト送信手段が、前記ブックマーク患者リスト生成ステップで生成された前記ユーザ識別情報に対応する前記ブックマーク患者リストを前記携帯端末に送信するブックマーク患者リスト送信ステップと、
ブックマーク指示受信手段が、前記携帯端末が送信した、ブックマークの選択指示に対応する前記患者識別情報に紐付いた前記ページ識別情報を受信するブックマーク指示受信ステップと、
患者情報ページ送信手段が、受信した前記ブックマークの選択指示に対応して、前記患者識別情報に紐付いた前記ページ識別情報により患者情報データベースから検索した前記患者情報ページを、前記携帯端末に送信する患者情報ページ送信ステップと、
削除手段が、前記携帯端末からの指示に応じて前記ブックマーク記憶ステップで記憶した前記患者識別情報を削除する削除ステップと、
保持手段が、前記削除ステップにおいて削除された前記患者識別情報を一定期間保持する保持ステップと、
復元手段が、前記一定時間内にユーザにより前記ユーザ識別情報に対応するブックマーク患者リストが閲覧された場合に、前記保持ステップで保持した前記患者識別情報を復元して記憶する復元ステップと、
を備えたことを特徴とする。
【００１０】
上記目的を達成するため、本発明に係るプログラムは、
ブックマーク登録指示と共に、携帯端末が送信したユーザ識別情報とページ識別情報とを、前記携帯端末から受信するブックマーク登録指示受信ステップと、
前記ブックマーク登録指示に基づいて、受信した前記ページ識別情報を、前記ページ識別情報に対応する患者情報ページに関連する患者の患者識別情報に紐付けて記憶するブックマーク記憶ステップと、
前記ブックマーク記憶ステップで記憶された前記患者識別情報と前記患者識別情報に紐付いた前記ページ識別情報とをユーザ識別情報に対応して一覧にした、ブックマーク患者リストを生成するブックマーク患者リスト生成ステップと、
前記ブックマーク患者リスト生成ステップで生成された前記ユーザ識別情報に対応する前記ブックマーク患者リストを前記携帯端末に送信するブックマーク患者リスト送信ステップと、
前記携帯端末が送信した、ブックマークの選択指示に対応する前記患者識別情報に紐付いた前記ページ識別情報を受信するブックマーク指示受信ステップと、
受信した前記ブックマークの選択指示に対応して、前記患者識別情報に紐付いた前記ページ識別情報により患者情報データベースから検索した前記患者情報ページを、前記携帯端末に送信する患者情報ページ送信ステップと、
前記携帯端末からの指示に応じて前記ブックマーク記憶ステップで記憶した前記患者識別情報を削除する削除ステップと、
前記削除ステップにおいて削除された前記患者識別情報を一定期間保持する保持ステップと、
前記一定時間内にユーザにより前記ユーザ識別情報に対応するブックマーク患者リストが閲覧された場合に、前記保持ステップで保持した前記患者識別情報を復元して記憶する復元ステップと、
を備えたことを特徴とする。
【発明の効果】
【００１１】
本発明によれば、ユーザが繰り返し参照したい情報を、ユーザ自身が積極的に選択してブックマークに登録することで、容易に参照したい情報にアクセスすることができる。
【図面の簡単な説明】
【００１２】
【図１】本発明の第１実施形態に係る情報処理システムの構成を示すブロック図である。
【図２】本発明の第２実施形態に係る情報処理システムの構成を示すブロック図である。
【図３】本発明の第２実施形態に係る情報処理システムのシーケンス図である。
【図４】本発明の第２実施形態における患者情報のテーブルを示す図である。
【図５】本発明の第２実施形態におけるブックマーク患者リストを示す図である。
【図６】本発明の第２実施形態における携帯端末の処理手順を示すフローチャートである。
【図７】本発明の第２実施形態におけるウェブサーバの処理手順を示すフローチャートである。
【図８】本発明の第２実施形態における患者リストの表示画面である。
【図９】本発明の第２実施形態における患者情報の選択画面である。
【図１０】本発明の第２実施形態における患者情報ページの表示画面である。
【図１１】本発明の第２実施形態における看護プロフィールの表示画面である。
【図１２】本発明の第２実施形態におけるＰｒｏｇｒｅｓｓＮｏｔｅの表示画面である。
【図１３】本発明の第２実施形態における経過表の表示画面である。
【図１４】本発明の第２実施形態における問診の表示画面である。
【図１５】本発明の第２実施形態における申し送りの表示画面である。
【図１６】本発明の第２実施形態における携帯端末の表示画面を示す図である。
【図１７】本発明の第２実施形態におけるブックマークページの表示画面である。
【図１８】本発明の第２実施形態におけるウェブサーバの内部構成を示す図である。
【図１９】本発明の第３実施形態に係る情報処理システムの構成を示すブロック図である。
【図２０】本発明の第４実施形態に係る情報処理システムの構成を示すブロック図である。
【図２１】本発明の第４実施形態におけるウェブサーバの手続の処理手順を示すフローチャートである。
【図２２】本発明の第５実施形態に係る情報処理システムの構成を示すブロック図である。
【発明を実施するための形態】
【００１３】
以下に、本発明を実施するための形態について、図面を参照して、例示的に詳しく説明記載する。ただし、以下の実施の形態に記載されている、構成、数値、処理の流れ、機能要素などは一例に過ぎず、その変形や変更は自由であって、本発明の技術範囲を以下の記載に限定する趣旨のものではない。
【００１４】
［第１実施形態］
本発明の第１実施形態としての情報処理システム１００について、図１を用いて説明する。情報処理システム１００は、患者情報をデータベースに蓄積して、患者情報をユーザが利用するためのシステムである。
【００１５】
図１に示すように、情報処理システム１００は、携帯端末１１０と、サーバ１２０と、患者情報データベース１３０とを含む。これらは、互いに通信可能に接続されている。
【００１６】
携帯端末１１０は、受信部１１１と、表示部１１２と、指定部１１３とを含む。サーバ１２０は、生成部１２１と、患者情報ページ送信部１２２と、ブックマーク記憶部１２３と、ブックマーク患者リスト生成部１２４と、ブックマーク患者リスト送信部１２５とを含む。
【００１７】
サーバ１２０の生成部１２１は、患者情報データベース１３０から患者情報を読み出して、患者情報ページを生成する。患者情報ページ送信部１２２は、携帯端末１１０からの要求に応じて患者情報ページを送信する。
【００１８】
携帯端末１１０の受信部１１１は、患者情報ページを受信し、表示部１１２は、患者情報ページを携帯端末の表示画面に表示し、指定部１１３は、患者情報ページを指定する。
【００１９】
サーバ１２０のブックマーク記憶部１２３は、指定部１１３によって指定された患者情報ページのページ識別情報を受信し、ページ識別情報に対応する患者情報ページに関連する患者の患者識別情報に紐付けて記憶する。ブックマーク患者リスト生成部１２４は、ブックマーク記憶部１２３に記憶された患者識別情報を一覧にしてブックマーク患者リストを生成する。ブックマーク患者リスト送信部１２５は、生成したブックマーク患者リストを携帯端末１１０に送信する。
【００２０】
以上の構成及び動作により、本実施形態によれば、ユーザが繰り返し参照したい情報を、ユーザ自身が積極的に選択してブックマークに登録することで、容易に参照したい情報にアクセスすることができる。
【００２１】
［第２実施形態］
次に本発明の第２実施形態に係る情報処理システム２００について、図２を用いて説明する。図２に示されているように、情報処理システム２００は、携帯端末２１０と、ウェブサーバ２２０と、メインサーバ２３０と、患者情報データベース２４０とを含む。携帯端末２１０は、ウェブサーバ２２０及びメインサーバ２３０とネットワーク２５０を介して通信可能に接続されている。
【００２２】
このような構成により、情報処理システム２００は、携帯端末２１０において参照された患者情報ページのブックマーク記憶を行なって、ユーザが次回利用時に、患者情報ページを参照するのを容易にする。
【００２３】
携帯端末２１０は、受信部２１１と、表示部２１２と、指定部２１３とを有する。ウェブサーバ２２０は、ブックマーク記憶部２２１と、ブックマーク患者リスト生成部２２２と、送受信部２２３とを有する。メインサーバ２３０は、患者情報ページ生成部２３１と、送信部２３２と、受信部２３３とを有する。
【００２４】
携帯端末２１０は、受信部２１１において、ウェブサーバ２２０から送信された患者情報ページを受信する。表示部２１２は、受信した患者情報ページを携帯端末２１０の表示画面に表示する。指定部２１３は、患者情報ページの指定をユーザから受け付ける。携帯端末２１０は、指定部２１３において患者情報ページの指定を受け付けて、ネットワーク２５０を介してウェブサーバ２２０に患者情報ページのページ識別情報を送信する。
【００２５】
ウェブサーバ２２０は、送受信部２２３において、携帯端末２１０から送信された患者情報ページの要求を受け付けると、メインサーバ２３０にこの要求を送信する。送受信部２２３は、メインサーバ２３０から送信された患者情報ページを受信すると、ネットワーク２５０を介して携帯端末２１０に送信する。
【００２６】
ウェブサーバ２２０は、ブックマーク記憶部２２１において、携帯端末２１０の指定部２１３から患者情報ページのページ識別情報を受け付けると、患者情報ページに関連する患者の患者識別情報に紐付けて、患者情報をブックマーク記憶する。ブックマーク記憶部２２１は、受け付けたページ識別情報と、患者識別情報とを紐付けてユーザごとにブックマーク記憶することもできる。また、ブックマーク記憶部２２１は、携帯端末２１０の指定部２１３において指定された患者情報ページのサムネイルを、患者識別情報と紐付けて記憶する。さらに、ブックマーク記憶部２２１は、患者情報ページを記憶する際に、ユーザが患者情報ページを指定した際に入力したコメントと、患者識別情報とを紐付けて記憶することもできる。
【００２７】
ブックマーク患者リスト生成部２２２は、ブックマーク記憶部２２１に記憶された患者識別情報を一覧にして、ブックマーク患者リストを生成する。また、ブックマーク患者リスト生成部２２２は、ブックマーク記憶部２２１に記憶されたサムネイルを、携帯端末２１０の表示画面上に吹き出しの態様で表示されるようにブックマーク患者リストを生成することも可能である。例えば、サムネイルの表示は、患者ＩＤの横に全て表示される態様でも良く、ユーザがカーソルを特定の患者に合わせると表示される態様でも良いが、これらの態様に限られない。ブックマーク患者リスト生成部２２２は、ブックマーク記憶された患者識別情報を基に生成するブックマーク患者リストを、患者の属性に応じた表示態様で、患者情報ページの背景又は囲み線等に色を付す等の態様で携帯端末２１０に表示されるよう生成可能である。送受信部２２３は、ブックマーク記憶された患者情報ページのページ識別情報を、メインサーバ２３０に送信することができる。
【００２８】
メインサーバ２３０は、受信部２３３において、ウェブサーバ２２０から患者情報ページの要求を受け付けると、患者情報データベース２４０から患者情報を読み出す。患者情報ページ生成部２３１は、読み出した患者情報を基に、患者情報ページを生成する。生成された患者情報ページを、送信部２３２は、ウェブサーバ２２０に送信する。また、メインサーバ２３０は、ブックマーク記憶された患者情報ページのページ識別情報をウェブサーバ２２０から受け付けて、患者情報ページに追加して記憶しても良い。
【００２９】
図３は、本実施形態における携帯端末２１０と、ウェブサーバ２２０と、メインサーバ２３０と、患者情報データベース２４０とのやり取りを示すシーケンス図である。
【００３０】
ステップＳ３０１において、携帯端末２１０は、患者情報ページをウェブサーバ２２０に要求すると、ウェブサーバ２２０の送受信部２２３から、メインサーバ２３０に要求が送信される。ステップＳ３０３において、メインサーバ２３０の受信部２３３は、患者情報ページの要求を受信すると、患者情報データベース２４０から患者情報を読み出す。ステップＳ３０５において、メインサーバ２３０の患者情報ページ生成部２３１は、患者情報データベース２４０から読み出した患者情報を基に患者情報ページを生成する。ステップＳ３０７において、送信部２３２は、生成した患者情報ページをウェブサーバ２２０に送信し、ウェブサーバ２２０の送受信部２２３は、さらに、受信した患者情報ページを携帯端末２１０に送信する。
【００３１】
ステップＳ３０９において、携帯端末２１０の表示部２１２は、受信部２１１において受信した患者情報ページを、携帯端末２１０の表示画面に表示する。ステップＳ３１１において、指定部２１３は、表示画面に表示された患者情報ページにユーザがブックマークに登録したいページがあれば、登録の指定を受け付ける。ステップＳ３１３において、携帯端末２１０は、登録の指定を受け付けた患者情報ページのページ識別情報をウェブサーバ２２０に送信する。
【００３２】
ステップＳ３１５において、ウェブサーバ２２０のブックマーク記憶部２２１は、受信したページ識別情報と、患者識別情報とを紐付けて記憶する。ステップＳ３１７において、ブックマーク患者リスト生成部２２２は、ブックマーク記憶部２２１に記憶された患者識別情報を一覧にして、ブックマーク患者リストを生成する。
【００３３】
図４は、本実施形態における患者情報データベース２４０に記憶された患者情報のテーブル４００を示す図である。図４に示されているように、患者情報のテーブル４００は、患者ＩＤ４０１と、患者氏名４０２と、性別４０３と、年齢４０４と、病棟４０５と、病歴４０６と、病名４０７と、退院予定４０８とから構成されている。
【００３４】
患者ＩＤ４０１は、患者ごとに付けられたＩＤである。患者氏名４０２は、通院患者または入院患者の氏名を示す。性別４０３は、患者の性別を示し、年齢４０４は、患者の年齢を示す。病棟４０５は、入院患者の入院している病棟及び病室を示す。病歴４０６は、患者の病歴を示し、病名４０７は、患者が現在罹っている病名を示す。退院予定４０８は、入院患者のうち、退院する予定がある患者に「有」を記入し、退院予定が無い患者に「無」を記入する。患者情報のテーブル４００に示される情報は、ここに示した情報の他に入院患者の入院日、入院歴、通院歴、患者家族の既往歴などを含んでも良く、またこれら情報に限られない。
【００３５】
図５は、本実施形態におけるブックマーク患者リスト５００を示す図である。ブックマーク患者リスト５００は、指定部２１３において指定された患者情報ページのページ識別情報と、患者識別情報とを紐付けてブックマーク記憶部２２１に記憶された情報を基に、ブックマーク患者リスト生成部２２２において生成されたリストである。患者情報のテーブル４００に示された情報４０１〜４０５に加えて、ブックマーク記憶日付５０１と、最終参照日付５０２と、ページ識別情報５０３とを加えた内容である。なお、ブックマーク患者リスト５００に表示される情報はこれら情報に限られない。
【００３６】
ブックマーク記憶日付５０１は、ユーザが患者情報を携帯端末２１０の指定部２１３において指定して、ブックマーク記憶した日付である。患者ＩＤ「90000002」の佐藤次郎氏の情報は２０１０／１２／０６の１０：２５にブックマーク記憶されたことを示す。最終参照日付５０２は、ユーザがブックマーク記憶した患者情報ページを最後に参照した日付を示す。患者ＩＤ「90000002」の佐藤次郎氏の情報は、２０１１／０６／２６の１７：１０に参照されたことを示す。ページ識別情報５０３は、ユーザにより指定部２１３で指定された患者情報ページ（たとえば病歴、薬歴）を表わす識別情報である。本実施形態においては、佐藤次郎氏のページ識別情報は「90000002bbaa」で表わされ、「病歴」のページをブックマーク記憶したことを示す。ブックマーク患者リスト５００は、ブックマーク患者リスト生成部２２２において生成され、ウェブサーバ２２０に記憶される。ユーザが次回利用する際に、携帯端末２１０に表示されるブックマーク患者リストから佐藤次郎氏を選択すると、「90000002bbaa」のページ識別情報と共に記憶された佐藤次郎氏の患者情報ページが読み出され、ウェブサーバ２２０から携帯端末２１０に送信される。
【００３７】
図６は、本実施形態における携帯端末２１０の処理手順を示すフローチャートである。ステップＳ６０１において、携帯端末２１０は、患者情報ページの送信をウェブサーバ２２０に要求する。ステップＳ６０３において、携帯端末２１０は、患者情報ページをウェブサーバ２２０から受信する。ステップＳ６０５において、携帯端末２１０の表示部２１２は、受信した患者情報ページを表示画面に表示する。ステップＳ６０７において、指定部２１３は、ユーザから患者情報ページの指定を受け付けると、ステップＳ６０９に進む。ステップＳ６０９において、携帯端末２１０は指定された患者情報ページのページ識別情報を、ウェブサーバ２２０に送信する。
【００３８】
図７は、本実施形態におけるウェブサーバ２２０の処理手順を示すフローチャートである。ステップＳ７０１において、ウェブサーバ２２０のブックマーク記憶部２２１は、ユーザから指定された患者情報ページのページ識別情報を携帯端末２１０から受信する。ステップＳ７０３において、ブックマーク記憶部２２１は、ユーザから指定された患者情報ページのサムネイルを、患者識別情報と紐付けて記憶する。ステップＳ７０５において、ブックマーク記憶部２２１は、患者情報ページに関連する患者識別情報を読み出す。ステップＳ７０７において、ブックマーク記憶部２２１は、ページ識別情報と、読み出した患者識別情報とを紐付けてユーザごとにブックマーク記憶する。ステップＳ７０９において、ブックマーク患者リスト生成部２２２は、ブックマーク記憶部２２１に記憶された患者識別情報を一覧にしてブックマーク患者リストを生成する。
【００３９】
次に、図８〜図１７において、本実施形態における携帯端末２１０に表示される画面について説明する。図８は、本実施形態における患者リスト８００の表示画面である。図８に示されているように、患者リスト８００は、タイトル８０１と、患者検索欄８０２と、患者情報８０３〜８１ｎにより構成されている。
【００４０】
患者リスト８００のタイトル８０１は、携帯端末２１０に表示されている画面が「患者リスト」であることを示す。患者検索欄８０２は、ユーザが患者検索を行なうためのキーワードの入力欄である。患者情報８０３〜８１ｎは、ユーザが参照可能な患者のリストである。患者情報８０３は、氏名が山田太郎であり、ＩＤが「90000001」であることを示し、本人確認のための顔写真を示す。患者情報８０４は、氏名が小島健太であり、ＩＤが「90000005」であることを示し、本人確認のための顔写真を示す。以下、患者情報８０５〜８１ｎについても、同様の情報を示す。これらの患者情報８０３〜８１ｎは、図４の患者情報のテーブル４００に記載され、患者情報データベース２４０に格納されている。このように、本実施形態においては、患者情報８０３〜８１ｎのように表示画面に１６人分の患者情報を示すが、同一画面上に表示する人数は任意に変更可能である。
【００４１】
Ｐａｔｉｅｎｔ  Ｍｅｎｕタグ８３０は、表示画面に患者情報のリストを表示する際に用いられる。ユーザによりＰａｔｉｅｎｔ  Ｍｅｎｕタグ８３０が選択されると、携帯端末２１０の表示画面に患者リスト８００が表示される。ユーザが参照したい患者の表示を選択すると、その患者の詳細な情報が表示画面に表示される。Ｂｏｏｋ  Ｍａｒｋタグ８３１は、ユーザが過去に参照してブックマーク記憶した患者情報ページのリスト（ブックマーク患者リスト）を携帯端末２１０の表示画面に表示する際に用いられる。ユーザによりＢｏｏｋ  Ｍａｒｋタグ８３１が選択されると、ユーザのログインＩＤに紐付けて記憶されているブックマーク患者リスト（図５）のテーブルを基に、患者情報のリストが生成されて表示画面に表示される。
【００４２】
図９は、本実施形態における患者情報の選択画面９００である。図９に示されているように、患者情報の選択画面９００は、患者表示欄９０１と、患者検索欄９０２と、サイドメニュー９１０（９１１〜９２０）とにより構成されている。
【００４３】
患者表示欄９０１には、ユーザが現在選択している患者氏名、ＩＤなどを表示する。選択画面９００の左端のサイドメニュー９１０は、ユーザにおいて、患者を担当患者９１１、入院患者９１２、３階東病棟９１３のように任意の患者分類に分けて表示できることを示す。このサイドメニュー９１０による患者分類は、ユーザごとに分類の設定を変更することができるように設定されている。そして、ユーザによりサイドメニュー９１０による患者分類が行なわれると、ネットワーク２５０を通じてウェブサーバ２２０およびメインサーバ２３０に送信されて、患者情報ページ生成部２３１において患者分類が行なわれた患者情報ページが生成される。
【００４４】
図１０は、本実施形態における患者情報ページ１０００の表示画面である。図１０に示されているように、患者情報ページ１０００は、患者検索欄８０２と、患者表示欄９０１と、メニュー１０１０（１０１１〜１０１６）と、各操作ボタン１０２０〜１０２４とにより構成されている。メニュー１０１０には、患者プロフィール１０１１と、看護プロフィール１０１２と、ＰｒｏｇｒｅｓｓＮｏｔｅ１０１３と、経過表１０１４と、問診１０１５と、申し送り１０１６とが含まれる。メニュー１０１０に含まれる項目はこれらに限るものではなく、ユーザが任意で追加、削除することができ、ユーザの使い方に合わせて設定することができる。
【００４５】
患者プロフィール１０１１は、生年月日、住所、血液型、家族、連絡先、病歴、薬歴などの患者情報を示す。看護プロフィール１０１２は、血液型、感染症、発病及び経過などの患者情報を示す（図１１）。ＰｒｏｇｒｅｓｓＮｏｔｅ１０１３は、診療記事などを示す（図１２）。診療記事の内容は、患者が来院した経緯と、病状と、医師の診断結果等の情報を含むが、これら情報に限られない。経過表１０１４は、患者の病状の経過を示す。問診１０１５は、医師による問診結果として、患者の氏名、性別、脈拍、血圧、平熱、出身地、身長、体重等を示す（図１４）。申し送り１０１６は、看護師から看護師又は医師への申し送り事項を示す（図１５）。
【００４６】
次に、患者情報ページ下段の承認ボタン１０２０は、ユーザが、研修医の診断結果などについて一括して「承認」を行なう場合に用いる。スケジュールボタン１０２１は、ユーザのスケジュールを表示する際に用いる。メールボタン１０２２は、ユーザがメールを送受信する際に用いる。ログアウトボタン１０２３は、ユーザが携帯端末２１０の使用を中止してログアウトする際に用いる。Ｂｏｏｋ  ｍａｒｋボタン１０２４は、ユーザが頻繁に参照する患者情報ページをブックマーク記憶するために用いる。具体的には、ユーザがブックマーク記憶したい患者情報ページを参照中に、Ｂｏｏｋ  ｍａｒｋボタン１０２４が押されると、当該ページのページ識別情報が携帯端末２１０からウェブサーバ２２０に送信される。ブックマーク記憶部２２１は、ページ識別情報と患者識別情報とを紐付けて記憶される。そして、ブックマーク患者リスト生成部２２２は、ブックマーク記憶部２２１に記憶された情報を基にブックマーク患者リストを生成する。ユーザが次回携帯端末２１０を利用する際に、ブックマーク患者リストから患者を選択すると、前回ブックマーク記憶したページが表示される。
【００４７】
本実施形態においては、山田太郎氏の患者情報がブックマーク記憶としてユーザに選択されている。ユーザにより参照されていたページは患者の既往歴のページであり、既往歴のページを示すページ識別情報「90000001abaa」（図５の５０３）が、携帯端末２１０からウェブサーバ２２０にネットワーク２５０を介して送信される。ブックマーク記憶部２２１は、送信されたページ識別情報「90000001abaa」と、山田太郎氏の患者識別情報とを紐付けて記憶する。ブックマーク患者リスト生成部２２２は、山田太郎氏の患者情報を基にブックマーク患者リスト（図５）を生成する。携帯端末２１０の表示画面において、Ｂｏｏｋ  Ｍａｒｋタグ８３１が押されると、山田太郎氏の患者情報やその他ユーザによりブックマーク記憶された患者の一覧である。ブックマーク患者リストが表示される。
【００４８】
図１１は、本実施形態における患者情報ページ１０００（図１０）に示されるメニュー１０１０のうち看護プロフィール１０１２を選択した場合の表示画面１１００である。図１１に示されているように、看護プロフィール１０１２の表示画面１１００は、血液型１１０１、感染症１１０２、主訴１１０３、発病及び経過１１０４などの情報により構成されている。血液型１１０１は、山田太郎氏の血液型Ｂ型を示す。感染症１１０２は、山田太郎氏の感染症の有無を示す。主訴１１０３は、山田太郎氏が最も強く訴える症状について示す。発病及び経過１１０４は、発病と発病後の経過を示す。医師の氏名１１０５は、看護プロフィールを記載した担当医師の氏名を示す。記載日時１１０６は、担当医師が看護プロフィールを記載した日時を示す。
【００４９】
図１２は、本実施形態における患者情報ページ１０００（図１０）に示されるメニュー１０１０のうちＰｒｏｇｒｅｓｓＮｏｔｅ１０１３を選択した場合の表示画面１２００である。図１２に示されているように、ＰｒｏｇｒｅｓｓＮｏｔｅ１０１３の表示画面１２００は、２号紙に記載日付と診療科が記載され、診療記事１２０１により構成されている。診療記事１２０１には、たとえば、患者自身による自覚所見（Ｓ：Subjective Data）と、医師による他覚所見（Ｏ：Objective Data）と、評価（Ａ：Assessment）と、計画（Ｐ：Plan）とを記入する（ＳＯＡＰ）。ＰｒｏｇｒｅｓｓＮｏｔｅ１０１３は、その他患者の受診科及び薬を処方した日付などの必要な情報が記入される。なお、２号紙とは医師の診療記録を記入したものである。１号紙は患者の氏名、生年月日等、保険情報、病名情報などを記入したものである。
【００５０】
図１３は、本実施形態における患者情報ページ１０００（図１０）に示されるメニュー１０１０のうち経過表１０１４を選択した場合の表示画面１３００である。図１３に示されているように、経過表１０１４の表示画面１３００は、患者の病状の経過を示すために、表１３０１及び１３０３と、グラフ１３０２とにより構成されている。経過表１０１４の表示画面１３００は、表１３０１及び１３０３と、グラフ１３０２を用いて患者の病状を客観的に表示するために各検査数値として表わす。
【００５１】
図１４は、本実施形態における患者情報ページ１０００（図１０）に示されるメニュー１０１０のうち問診１０１５を選択した場合の表示画面１４００を示す図である。図１４に示されているように、問診１０１５の表示画面１４００は、問診ページ１４０１により構成されている。問診ページ１４０１は、患者の氏名、性別、脈拍、血圧、平熱、身長、体重などの基本情報が記入され、患者の診察に当たりユーザにとって必要なデータを記入される。また、問診ページ１４０１は、患者や患者の家族などに自覚症状や発病の状況、経過や既往の治療状況、既往歴、生活史、家族歴などの内容をユーザにより記入される。なお、図１４〜図１６のメニューに含まれる項目は図１０〜図１３と異なるが、これらのメニュー表示はユーザにより項目を変更して設定した場合を示す。
【００５２】
図１５は、本実施形態における患者情報ページ１０００（図１０）に示されるメニュー１０１０のうち申し送り１０１６を選択した場合の表示画面１５００を示す図である。図１５に示されているように、申し送り１０１６の表示画面１５００は、複数の申し送り欄１５０２（１５０１ａ〜１５０１ｃ）により構成されている。申し送り欄１５０２は、看護師が勤務交代時に、患者の病状及び身体状況、その他連絡事項を、引き継ぎの看護師に報告し、引き継ぐ内容を記入される。申し送り欄１５０１ａは、申し送り事項を記入した例であり、記入した日付及び時間（２００９年５月１０日（火）  ０８：３０）、記入した看護師氏名（看護師Ａ）、申し送りの内容「明日手術予定。・・」を示す。複数の申し送り欄１５０２は、申し送り事項を時系列で表示し、所定期間内の申し送り事項を参照することができる。本実施形態においては、２００９年５月１０（火）０８：３０〜２００９年５月１１日（水）０２：３０までの４回分の申し送り事項を参照することができる。
【００５３】
図１６は、本実施形態における携帯端末２１０において、ユーザが患者情報を検索した際の表示画面１６００を示す図である。図１６に示されているように、表示画面１６００は、患者検索欄８０２に検索ワードを入力して検索すると（表示画面１６００ａ）、検索結果が表示される（表示画面１６００ｂ）構成である。
【００５４】
表示画面１６００ａは検索前の画面であり、図１２で説明したＰｒｏｇｒｅｓｓＮｏｔｅ１０１３が表示されており、表示画面１６００ｂは、検索後の画面を示す。表示画面１６００ａの患者検索欄８０２は、ユーザが参照したい患者を検索するための患者氏名、患者ＩＤ、患者の入院日、患者の入院部屋番号などのキーワードを入力される。本実施形態においては、検索ワードとして、「３０１号室」を入力されている。表示画面１６００ｂの検索結果画面１６０１は、検索結果として「３０１号室」に入院している患者一覧を表示し、「東病棟３０１号室」に入院する山田太郎氏および高橋三郎氏と、「西病棟３０１−４」に入院する伊藤剛氏とを示す。ユーザは、この検索結果に基づいて、任意の患者の表示を選択することで、参照したい患者情報を見ることができる。この患者検索欄８０２を用いた患者検索は、Ｐａｔｉｅｎｔ  Ｍｅｎｕタグ８３０（図８）を選択して患者リストを参照する場合でも、Ｂｏｏｋ  Ｍａｒｋタグ８３１（図８）を選択してブックマーク患者リストを参照する場合でも、実行することができる。
【００５５】
図１７は、本実施形態におけるブックマークページ１７００の表示画面である。図１７に示されているように、ブックマークページ１７００は、携帯端末２１０の画面下部に表示されたＢｏｏｋ  ｍａｒｋボタン１０２４をユーザにタッチされると、現在参照されている患者情報の患者氏名を画面に表示する（１７０２）。ブックマークページ１７００は、表示した患者情報についてユーザから、ブックマーク記憶部２２１に登録するブックマーク番号の選択を受け付ける（１７０１）。ブックマーク記憶部２２１は、選択された番号を、ページ識別情報と患者識別情報とユーザＩＤとを紐付けて記憶する。
【００５６】
ウェブサーバ２２０のブックマーク患者リスト生成部２２２は、ブックマーク記憶部２２１において記憶されたブックマーク番号とページ識別情報と患者識別情報とを紐付けてブックマーク患者リストを生成する。なお、ブックマーク番号の設定は、ブックマーク記憶部に記憶するための必須の設定事項ではない。
【００５７】
図１８は、本実施形態におけるウェブサーバ２２０の内部構成を示す図である。本実施形態において患者情報データベース２４０はウェブサーバ２２０に含まれる構成ではないが、図１８においては患者情報データベース２４０がウェブサーバ２２０に含まれる構成として説明する。
【００５８】
ウェブサーバ２２０は、ＣＰＵ１８１０、ＲＯＭ１８２０、通信制御部１８３０、ＲＡＭ１８４０、及びストレージ１８５０を備えている。ＣＰＵ１８１０は中央処理部であって、様々なプログラムを実行することによりウェブサーバ２２０全体を制御する。ＲＯＭ１８２０は、リードオンリメモリであり、ＣＰＵ１８１０が最初に実行すべきブートプログラムの他、各種パラメータ等を記憶している。また、ＲＡＭ１８４０は、ランダムアクセスメモリであり、ページ識別情報１８４１と、ブックマーク記憶モジュール１８４２と、ブックマーク患者リスト生成モジュール１８４５とを有する。ブックマーク記憶モジュール１８４２は、サムネイル１８４３と、患者識別情報１８４４とを含む。
【００５９】
一方、ストレージ１８５０は、患者情報データベース１８５１を構成しており、患者情報ページ１８５２と、図５に示すブックマーク患者リスト５００のブックマーク患者リストデータベース１８５３とを有する。また、通信制御部１８３０は、携帯端末２１０及びメインサーバ２３０とのネットワーク２５０を介した通信を制御する。
【００６０】
ページ識別情報１８４１は、携帯端末２１０から送信される。ブックマーク記憶モジュール１８４２は、ページ識別情報１８４１と、サムネイル１８４３と、患者識別情報１８４４とを紐付けて記憶する。なお、患者識別情報１８４４は、メインサーバ２３０から患者情報ページを受信した際に記憶される。ブックマーク患者リスト生成モジュール１８４５は、患者識別情報１８４４を携帯端末２１０のユーザごとに一覧にして、ユーザごとのブックマーク患者リストを生成する。
【００６１】
患者情報データベース１８５１の患者情報ページ１８５２は、メインサーバ２３０から患者情報ページを受信すると、ウェブサーバ２２０に記憶される。また、ブックマーク患者リストデータベース１８５３は、ブックマーク患者リスト生成モジュール１８４５により生成されたブックマーク患者リストを格納する。
【００６２】
以上の構成及び動作により、本実施形態によれば、ユーザが繰り返し参照したい患者の電子カルテを選択してブックマークに登録することで、次回利用時に、ユーザがブックマーク登録した電子カルテに容易にアクセスすることができる。
【００６３】
［第３実施形態］
次に本発明の第３実施形態に係る情報処理システムについて、図１９を用いて説明する。図１９は、本実施形態に係る情報処理システム１９００の構成を説明するためのブロック図である。本実施形態に係る情報処理システム１９００は、上記第２実施形態と比べると、携帯端末２１０と、ウェブサーバ１９２０と、患者情報データベース２４０のみで情報処理システム１９００を構成し、メインサーバ２３０を有しない点で異なる。その他の構成及び動作は、第２実施形態と同様であるため、同じ構成及び動作については同じ符号を付してその詳しい説明を省略する。
【００６４】
サーバ１９２０は、患者情報ページ生成部２３１と、ブックマーク記憶部２２１と、ブックマーク患者リスト生成部２２２と、送受信部２２３とを有しており、患者情報データベース２４０と通信可能に接続されている。
【００６５】
以上の構成及び動作により、本実施形態よれば、情報処理システムを構築するサーバの数を減らすことにより、サーバの管理を容易にすることが可能である。
【００６６】
［第４実施形態］
次に本発明の第４実施形態に係る情報処理システムについて、図２０を用いて説明する。図２０は、本実施形態に係る情報処理システム２０００の構成を説明するためのブロック図である。本実施形態に係る情報処理システム２０００は、上記第２実施形態と比べるとウェブサーバ２０２０が、カウント部２０２４と、参照回数記憶部２０２５とを有する点で異なる。その他の構成及び動作は、第２実施形態と同様であるため、同じ構成及び動作については同じ符号を付してその詳しい説明を省略する。
【００６７】
カウント部２０２４は、患者識別情報ごとに、携帯端末２１０においてユーザに参照された患者情報ページの回数をカウントする。具体的には、カウント部２０２４は、携帯端末２１０においてブックマーク患者リストから同一患者が選択されて患者情報ページの送信を要求されると、ユーザごとに患者情報ページの参照回数をカウントする。そして、参照回数記憶部２０２５は、カウント部２０２４においてカウントした参照回数を記憶する。ブックマーク患者リスト生成部２０２２は、参照回数記憶部２０２５によりカウントされた参照回数に応じた順番にブックマーク患者リストをユーザごとに生成する。たとえば、生成されるブックマーク患者リストは、参照回数が多いほど、ブックマークの上位に表示される。
【００６８】
図２１は、本実施形態におけるウェブサーバ２０２０の処理手順を示すフローチャートである。
【００６９】
ステップＳ２１０１において、カウント部２０２４は、患者識別情報ごとに、携帯端末２１０で参照された参照回数をカウントする。ステップＳ２１０３において、参照回数記憶部２０２５は、カウント部２０２４においてカウントされた参照回数を記憶する。そして、ステップＳ２１０５において、ブックマーク患者リスト生成部２０２２は、参照回数記憶部２０２５から取得する患者情報ページの参照回数に応じて、ブックマーク患者リストをユーザごとに生成する。
【００７０】
以上の構成及び動作により、本実施形態における情報処理システムによれば、ユーザが繰り返し参照したい情報をユーザ自身が積極的に選択してブックマークに登録することにより、参照回数が多いページをユーザごとに優先的に表示することができる。
【００７１】
［第５実施形態］
次に本発明の第５実施形態に係る情報処理システムについて、図２２を用いて説明する。図２２は、本実施形態に係る情報処理システム２２００の構成を説明するためのブロック図である。本実施形態に係る情報処理システム２２００は、上記第２実施形態と比べると、ウェブサーバ２２２０が、削除部２２２４と、保持部２２２５と、共有ブックマーク記憶部２２２６とを有する点で異なる。その他の構成及び動作は、第２実施形態と同様であるため、同じ構成及び動作については同じ符号を付してその詳しい説明を省略する。
【００７２】
削除部２２２４は、携帯端末２１０からの指示に応じてブックマーク記憶部２２１に記憶された患者識別情報を削除する。保持部２２２５は、削除部２２２４によって削除された患者識別情報を、予め定められた一定期間保持することで、ユーザが削除した情報を容易にブックマーク記憶部２２１に復元することを可能にする。すなわち、保持部２２２５は、患者識別情報がユーザにより選択されると、保持している患者識別情報をブックマーク記憶部２２１に復元する。また、保持部２２２５は、予め定められた一定期間内にユーザによりブックマーク患者リストが閲覧された場合に、保持している患者識別情報をブックマーク記憶部２２１に復元しても良い。
【００７３】
共有ブックマーク記憶部２２２６は、携帯端末２１０からの指示により、ユーザが指定した特定の患者情報を、他のユーザがブックマーク記憶して共有可能にする。すなわち、ブックマーク患者リスト生成部２２２は、共有ブックマーク記憶部２２２６によるブックマークの共有の指定を基に、ユーザ同士でブックマークを共有して特定の患者情報を共有して参照できるように、特定の患者識別情報についてブックマーク患者リストを生成する。
【００７４】
以上の構成及び動作により、本実施形態における情報処理システムによれば、ユーザ自身が積極的に選択してブックマークに登録した患者の電子カルテを削除し、または再登録可能であり、さらに必要に応じて複数のユーザで患者情報を共有することができる。
【００７５】
［他の実施形態］
以上、本発明の実施形態について詳述したが、それぞれの実施形態に含まれる別々の特徴を如何様に組み合わせたシステム又は装置も、本発明の範疇に含まれる。
【００７６】
また、本発明は、複数の機器から構成されるシステムに適用されても良いし、単体の装置に適用されても良い。さらに、本発明は、実施形態の機能を実現する情報処理プログラムが、システムあるいは装置に直接あるいは遠隔から供給される場合にも適用可能である。したがって、本発明の機能をコンピュータで実現するために、コンピュータにインストールされるプログラム、あるいはそのプログラムを格納した媒体、そのプログラムをダウンロードさせるＷＷＷ(World Wide Web)サーバも、本発明の範疇に含まれる。
【図１】
0005875101.tif 000002
【図２】
0005875101.tif 000003
【図３】
0005875101.tif 000004
【図４】
0005875101.tif 000005
【図５】
0005875101.tif 000006
【図６】
0005875101.tif 000007
【図７】
0005875101.tif 000008
【図８】
0005875101.tif 000009
【図９】
0005875101.tif 000010
【図１０】
0005875101.tif 000011
【図１１】
0005875101.tif 000012
【図１２】
0005875101.tif 000013
【図１３】
0005875101.tif 000014
【図１４】
0005875101.tif 000015
【図１５】
0005875101.tif 000016
【図１６】
0005875101.tif 000017
【図１７】
0005875101.tif 000018
【図１８】
0005875101.tif 000019
【図１９】
0005875101.tif 000020
【図２０】
0005875101.tif 000021
【図２１】
0005875101.tif 000022
【図２２】
0005875101.tif 000023